(57)【要約】【課題】  シール貼りブックの綴じ具に係止部を係止して位置決めし、シール紙の数種類のシールを貼り付けて、シール貼りブックの下絵をコーディネートするシール貼りブック用シートを提供する。【解決手段】  下絵が印刷された基本紙２と、下絵に貼り付けるシール６ｃ，６ｄを剥離可能に取り付けたシール紙とを有する複数の紙からなり、複数の紙がリング状の綴じ具１１ａ，１１ｂ、１２ａ，１２ｂによって連結されたシール貼りブック１に着脱可能に取り付けられるシート２１である。シート本体２２は、透過性を有する合成樹脂素材によって形成され、一端側に前記リング状の綴じ具１１ａ，１１ｂ、１２ａ，１２ｂに着脱可能に係止して前記基本紙２に位置決めすることができる係止部２５，２５が形成されている。【選択図】図７
0003188843.tif 000002
【実用新案登録請求の範囲】
【請求項１】
人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、
シート本体は、透過性を有する合成樹脂素材によって形成され、一端側に前記リング状の綴じ具に着脱可能に係止して前記基本紙に位置決めすることができる係止部が形成されていることを特徴とするシール貼りブック用シート。
【請求項２】
人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、
シート本体は、透過性を有する合成樹脂素材によって形成され、一端側に前記リング状の綴じ具に着脱可能に係止して前記基本紙の下絵が印刷された面に位置決めすることができる係止部が形成されていることを特徴とするシール貼りブック用シート。
【請求項３】
人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、
シート本体は、透過性を有する合成樹脂素材によって形成され、一端側に前記リング状の綴じ具に着脱可能に係止して前記基本紙の下絵が印刷された面に位置決めすることができる係止部が形成され、前記シール紙のシールを着脱可能に貼り付けて下絵のデザインを変化させることができることを特徴とするシール貼りブック用シート。
【請求項４】
人、動物、植物、背景等の下絵が両面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、
シート本体は、透過性を有する合成樹脂素材によって形成され、一端側に前記リング状の綴じ具に着脱可能に係止して、見開き状態の一方の基本紙の下絵が印刷された面に位置決めすることができる係止部が形成され、見開き状態の他方の基本紙の下絵に貼り付けるシール紙のシールを着脱可能に貼り付けておくことができることを特徴とするシール貼りブック用シート。
【請求項５】
係止部は、リング状の綴じ具を収容する凹部と、リング状の綴じ具内に挿入される突起からなることを特徴とする請求項１乃至４のいずれか１項に記載のシール貼りブック用シート。
【請求項６】
シート本体は、他端側の両面又は一方の面に接着片が設けられ、係止部と接着片により基本紙に安定して位置決めすることができることを特徴とする請求項１乃至５のいずれか１項に記載のシール貼りブック用シート。
【考案の詳細な説明】
【技術分野】
【０００１】
本考案は、人、動物、植物、背景等の下絵が印刷された基本紙と、下絵に貼り付けるシールを剥離可能に取り付けたシール紙とを有するシール貼りブックに係り、詳しくはシール貼りブックに着脱可能に取り付けられる透過性シートに関する。
【背景技術】
【０００２】
従来のシール貼りブック１は、図３に示すように、人、動物、植物、背景等の下絵２ａ，２ｂが両面に印刷された基本紙２と、図４に示すように、基本紙２に印刷された下絵２ａ，２ｂに貼り付けるシール６ａ〜６ｄを剥離可能に取り付けたシール紙６とを有する複数の紙からなり、リング状の綴じ具１１ａ，１１ｂ、１２ａ，１２ｂによって複数の紙の一端側を連結した構成である。リング状の綴じ具１１ａ，１１ｂ、１２ａ，１２ｂは、上下に一対ずつ配置されている。シールは、衣服、靴下、靴、鞄、装飾具等の小物類の図柄が印刷され、その印刷された図柄の形状で切り抜かれている。
【０００３】
従来のシール貼りブック１は、図５に示すように、シール紙６のシール６ａ，６ｂを剥がし、基本紙２の印刷された下絵２ａ，２ｂ等に貼り付ける。例えば、女の子のキャラクターに衣服のシール、鞄のシールを貼り付けてコーディネートして、遊ぶことができる（例えば、特許文献１）。
【先行技術文献】
【特許文献】
【０００４】
【特許文献１】実開平６−３６６９８号公報
【考案の概要】
【考案が解決しようとする課題】
【０００５】
従来のシール貼りブックは、基本紙に印刷された下絵に、シール紙のシールを剥がしてから貼り付けるが、他種類のシールの中から、どの図柄・模様・色彩がその下絵に適合するのか、実際に貼り付けてみないとわからない場合が多い。特に、女の子の下絵に衣服のシールを貼り付ける場合、その子の雰囲気や、その場所に合わせて複数のシールから選択しなければならないので、簡単に決定することが難しい。可能であるならば、女の子の下図のすぐ傍に他種類の衣服のシールを用意しておき、貼り替えながらシールを選択できれば決定も容易であるが、衣服のシールを用意しておくものが存在しない。従って、基本紙に印刷された下絵を記憶しておき、その記憶に基づいてシール紙からシールを選択するので、似合わないシールを貼り付ける場合があるという問題点があった。また、衣服のシールを貼り替える場合、一旦貼ったシールを下図から剥がすので時間がかかり、剥がしたシールの印象を忘れてしまい、剥がしたシールを再度貼って印象を思い出し直さなければならないという問題点があった。さらに、貼り付けるシールの選択を迷った場合に、なんども貼り替えることになり、シールを破ってしまうという問題点があった。
【０００６】
本願考案は、上記問題点に鑑み案出したものであって、シール貼りブックのリング状の綴じ具に係止部を着脱可能に係止して基本紙に位置決めし、シール紙の数種類のシールを予め貼り付けて用意することができると共に、透過性を有する合成樹脂素材によって形成されているので、シート本体に貼り付けたシールを基本紙に印刷された下絵に重ねてコーディネートすることができるシール貼りブック用シートを提供することを目的とする。
【課題を解決するための手段】
【０００７】
本願請求項１に係るシール貼りブック用シートは、上記目的を達成するため、人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、シート本体は、透過性を有する合成樹脂素材によって形成され、一端側に前記リング状の綴じ具に着脱可能に係止して前記基本紙に位置決めすることができる係止部が形成されていることを特徴とする。
【０００８】
本願請求項２に係るシール貼りブック用シートは、上記目的を達成するため、人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、シート本体は、透過性を有する合成樹脂素材によって形成され、一端側に前記リング状の綴じ具に着脱可能に係止して前記基本紙の下絵が印刷された面に位置決めすることができる係止部が形成されていることを特徴とする。
【０００９】
本願請求項３に係るシール貼りブック用シートは、上記目的を達成するため、人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、シート本体は、透過性を有する合成樹脂素材によって形成され、一端側に前記リング状の綴じ具に着脱可能に係止して前記基本紙の下絵が印刷された面に位置決めすることができる係止部が形成され、前記シール紙のシールを着脱可能に貼り付けて下絵のデザインを変化させることができることを特徴とする。
【００１０】
本願請求項４に係るシール貼りブック用シートは、上記目的を達成するため、人、動物、植物、背景等の下絵が両面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、シート本体は、透過性を有する合成樹脂素材によって形成され、一端側に前記リング状の綴じ具に着脱可能に係止して、見開き状態の一方の基本紙の下絵が印刷された面に位置決めすることができる係止部が形成され、見開き状態の他方の基本紙の下絵に貼り付けるシール紙のシールを着脱可能に貼り付けておくことができることを特徴とする。
【００１１】
本願請求項５に係るシール貼りブック用シートは、上記目的を達成するため、係止部は、リング状の綴じ具を収容する凹部と、リング状の綴じ具内に挿入される突起からなることを特徴とする。
【００１２】
本願請求項６に係るシール貼りブック用シートは、上記目的を達成するため、シート本体は、他端側の両面又は一方の面に接着片が設けられ、係止部と接着片により基本紙に安定して位置決めすることができることを特徴とする。
【考案の効果】
【００１３】
本願考案に係るシール貼りブック用シートは、人、動物、植物、背景等の下絵が少なくとも一方の面に印刷された基本紙と、基本紙に印刷された下絵に貼り付けるシールを剥離可能に取り付けたシール紙とを有する複数の紙からなり、リング状の綴じ具によって複数の紙の一端側を連結したシール貼りブックに着脱可能に取り付けられるシートであって、シート本体は、透過性を有する合成樹脂素材によって形成され、一端側に前記リング状の綴じ具に着脱可能に係止して前記基本紙に位置決めすることができる係止部が形成されている。
【００１４】
本願考案に係るシール貼りブック用シートは、シール貼りブックの基本紙の下絵が印刷された頁を開いて、シート本体の係止部をリング状の綴じ具に着脱可能に係止させ、基本紙の下絵が印刷された面に位置決めすることができる。シール貼りブックのシール紙からシールを剥がし、シート本体に着脱可能に貼り付けることにより、下絵の図柄、模様、色彩等のデザインを追加、変更又は変化させて楽しむことができ、美に対する感性を豊かにすることができるという効果がある。また、シート本体はシール貼りブックに位置決めされているので、貼っている最中にも動くことがなく、正確に貼り付けることができるという効果がある。下絵に直接シールを貼り付けているわけではないので、シート本体を捲ることにより下絵が表出し、デザインを施した下絵と、デザインを施す前の下絵の両方を略同時に確認することができるという効果がある。
【００１５】
本願考案に係るシール貼りブック用シートは、シール貼りブックの基本紙の下絵が印刷された頁を開いておき、シール貼りブックのシール紙からシールを剥がして下絵に直接貼り付けることにより、下絵の図柄、模様、色彩等のデザインを追加することができる。次に、シート本体の係止部をリング状の綴じ具に着脱可能に係止させ、基本紙のデザインが追加された下絵の上に位置決めすることができる。シール貼りブックのシール紙からシールを剥がし、シート本体に貼り付けることにより、下絵のデザインを追加、変更又は変化させて楽しむことができるという効果がある。シート本体を捲ることにより最初にデザインが施された下絵が表出し、最初にデザインを施した下絵と次にデザインを施した下絵の両方を略同時に確認して見較べることができるという効果がある。従って、シールを貼り替えないで異なるデザインを確認できるので、シールの貼り替えに伴う破損を防止することができるという効果がある。
【００１６】
また、本願考案に係るシール貼りブック用シートは、シール貼りブックの基本紙の下絵が印刷された頁を開いて、シート本体の係止部を着脱可能にリング状の綴じ具に係止させ、シールを貼り付けようとする基本紙とは反対側の基本紙に位置決めすることができる。シールを貼り付けようとする基本紙の下絵に関連する複数のシールをシール貼りブックのシール紙から剥がして、シート本体に貼り付けて、あたかもパレットの如く使用することができるという効果がある。シールを貼り付けようとする基本紙の下絵上に、シート本体に貼り付けて用意しておいたシールを順番に貼り付けていくことにより、下絵の図柄、模様、色彩等のデザインを追加、変更又は変化させて楽しむことができ、美に対する感性を豊かにすることができるという効果がある。
【００１７】
本願考案に係るシール貼りブック用シートは、係止部が、リング状の綴じ具を収容する凹部と、リング状の綴じ具内に挿入される突起からなる。突起がリング状の綴じ具内に挿入されるので、シール貼りブックの綴じ具から外れ難く、位置決めを確実に行うことができるという効果がある。
【００１８】
本願考案に係るシール貼りブック用シートは、シート本体の他端側の両面又は一方の面に接着片が設けられているので、係止部と接着片により基本紙に安定して位置決めすることができるという効果がある。
【図面の簡単な説明】
【００１９】
【図１】本願考案に係るシール貼りブック用シートの一つの実施の形態を示す正面図である。
【図２】図１のシール貼りブック用シートの取付状態を示す説明図であり、（ａ）が正面図、（ｂ）が断面図である。
【図３】シール貼りブックの基本紙の下絵の印刷面が見開き状態の説明図である。
【図４】シール貼りブックのシール紙のシール面が見開き状態の説明図である。
【図５】図３の下絵にシールが貼り付けられた状態の説明図である。
【図６】図４のシール紙からシールが剥離された状態の説明図である。
【図７】図１のシール貼りブック用シートにシールを貼り付けた状態を示す正面図である。
【図８】図７のシール貼りブック用シートを図５の下絵の印刷面に重ねた状態を示す正面図である。
【図９】シール貼りブックの他の基本紙の下絵の印刷面が見開き状態の説明図である。
【図１０】シール貼りブックの他のシール紙のシール面が見開き状態の説明図である。
【図１１】シール貼りブックの他のシール紙のシール面が見開き状態の説明図である。
【図１２】シール貼りブックの他のシール紙のシール面が見開き状態の説明図である。
【図１３】シール貼りブックの他のシール紙のシール面が見開き状態の説明図である。
【図１４】図９の下絵にシールが貼り付けられた状態の説明図である。
【図１５】図１のシール貼りブック用シートにシールを貼り付けた状態を示す正面図である。
【図１６】図１５のシール貼りブック用シートを図１４の下絵の印刷面に重ねた状態を示す正面図である。
【考案を実施するための形態】
【００２０】
シール貼りブック用シート２１は、図１に示すように、シール貼りブック１のリング状の綴じ具１１ａ，１１ｂ、１２ａ，１２ｂに着脱可能に取り付けられるシートである。シール貼りブック１は、図３に示すように、人、動物、植物、背景等の下絵２ａ，２ｂが少なくとも一方の面（又は両面）に印刷された基本紙２と、図４に示すように、基本紙２に印刷された下絵２ａ，２ｂに貼り付けるシール６ａ〜６ｄを剥離可能に取り付けたシール紙６とを有する複数の紙からなり、リング状の綴じ具１１ａ，１１ｂ、１２ａ，１２ｂによって複数の紙の一端側が連結されて構成されている。シート本体２２は、透過性を有する合成樹脂素材によって形成され、一端側に前記リング状の綴じ具１１ａ，１１ｂ、１２ａ，１２ｂに着脱可能に係止して前記基本紙２に位置決めすることができる係止部２５，２５が形成されている。
【００２１】
シール貼りブック用シート２１は、シート本体２２の係止部２５，２５を、シール貼りブック１のリング状の綴じ具１１ａ，１１ｂ、１２ａ，１２ｂに着脱可能に係止して、図７，８に示すように、シール貼りブック１の基本紙２の下絵２ａ，２ｂが印刷された面に位置決めし、シール紙６のシール６ｃをシート本体２２に着脱可能に貼り付けて下絵２ａのデザインを変化させることができる。
【００２２】
シール貼りブック用シート２１は、シート本体２２の係止部２５，２５を、シール貼りブック１のリング状の綴じ具１１ａ，１１ｂ、１２ａ，１２ｂに着脱可能に係止して、図３，７に示すように、見開き状態の一方の基本紙３の下絵が印刷された面に位置決めし、見開き状態の他方の基本紙２の下絵２ａ，２ｂに貼り付けるシール紙６のシール６ａ〜６ｄをシート本体２２に着脱可能に貼り付けておくことができる。
【００２３】
シール貼りブック用シート２１は、図１に示すように、係止部２５が、リング状の綴じ具１１ａ，１１ｂ（１２ａ，１２ｂ）を収容する凹部２６と、リング状の綴じ具１１ａ，１１ｂ（１２ａ，１２ｂ）内に挿入される突起２７からなる。シール貼りブック用シート２１は、図２に示すように、突起２７がリング状の綴じ具１１ａ，１１ｂ（１２ａ，１２ｂ）内に挿入されるので、シール貼りブック１の綴じ具１１ａ，１１ｂ（１２ａ，１２ｂ）から外れ難く、位置決めを確実に行うことができる。シール貼りブック用シート２１は、シート本体２２の他端側の両面又は一方の面に接着片２９が設けられているので、係止部２５と接着片２９により基本紙２に安定して位置決めすることができる。
【００２４】
シール貼りブック用シート２１は、図７に示すように、シール貼りブック１の基本紙２の下絵２ａ，２ｂが印刷された頁を開いて、シート本体２２の係止部２５,２５をリング状の綴じ具１１ａ，１１ｂ、１２ａ，１２ｂに着脱可能に係止させ、基本紙２の下絵２ａ，２ｂが印刷された面に位置決めすることができる。シール貼りブック１のシール紙６からシール６ｃを剥がし、シート本体２２に着脱可能に貼り付けることにより、図８に示すように、下絵２ａの図柄、模様、色彩等のデザインを追加、変更又は変化させて楽しむことができ、美に対する感性を豊かにすることができる。また、シート本体２２はシール貼りブック１に位置決めされているので、貼っている最中にも動くことがなく、正確に貼り付けることができる。下絵２ａに直接シール６ｃを貼り付けているわけではないので、シート本体２２を捲ることにより下絵２ａが表出し、デザインを施した下絵６ｃと、デザインを施す前の下絵２ａの両方を略同時に確認することができる。
【００２５】
シール貼りブック用シート２１は、図５に示すように、シール貼りブック１の基本紙２の下絵２ａ，２ｂが印刷された頁を開いておき、シール貼りブック１のシール紙６からシール６ａ，６ｂを剥がして下絵２ａ，２ｂに直接貼り付けることにより、下絵２ａ，２ｂの図柄、模様、色彩等のデザインを追加することができる。次に、図７に示すように、シート本体２２の係止部２５，２５をリング状の綴じ具１１ａ，１１ｂ、１２ａ，１２ｂに着脱可能に係止させ、図８に示すように、基本紙２のデザインが追加された下絵２ａ，２ｂの上に位置決めすることができる。シール貼りブック１のシール紙６からシール６ｃ，６ｄを剥がし、シート本体２２に貼り付けることにより、下絵２ａのデザインを追加、変更又は変化させて楽しむことができる。シート本体２２を捲ることにより最初にデザインが施された下絵６ａが表出し、最初にデザインを施した下絵６ａと次にデザインを施した下絵６ｃの両方を略同時に確認して見較べることができる。従って、シール６ａ，６ｃを貼り替えないで異なるデザインを確認できるので、シール６ａ，６ｃの貼り替えに伴う破損を防止することができる。
【００２６】
また、シール貼りブック用シート２１は、図３に示すように、シール貼りブック１の基本紙２の下絵２ａ，２ｂが印刷された頁を開いて、図１に示すように、シート本体２２の係止部２５，２５を着脱可能にリング状の綴じ具１１ａ，１１ｂ、１２ａ，１２ｂに係止させ、シール６ａ〜６ｄを貼り付けようとする基本紙２とは反対側の基本紙３に位置決めすることができる。シール６ａ〜６ｄを貼り付けようとする基本紙２の下絵２ａ，２ｂに関連する複数のシール６ａ〜６ｄをシール貼りブック１のシール紙６から剥がして、シート本体２２に貼り付けて、あたかもパレットの如く使用することができる。図５に示すように、シール６ａ〜６ｄを貼り付けようとする基本紙２の下絵２ａ，２ｂ上に、シート本体２２に貼り付けて用意しておいたシール６ａ，６ｂを順番に貼り付けていくことにより、下絵２ａ，２ｂの図柄、模様、色彩等のデザインを追加、変更又は変化させて楽しむことができ、美に対する感性を豊かにすることができる。
【００２７】
以下、シール貼りブック用シートの実施の形態を図１から図１６に基づいて説明する。まず、シール貼りブックについて説明する。シール貼りブック１は、図３，９に示すように、人、動物、植物、背景等の下絵２ａ，２ｂ、５ａ，５ｂが両面に印刷された基本紙２〜５と、図４，１０〜１３に示すように、基本紙２〜５に印刷された下絵２ａ，２ｂ、５ａ，５ｂに貼り付けるシールを剥離可能に取り付けたシール紙６〜１０とを有する複数の紙からなる。シール貼りブック１は、リング状の綴じ具１１ａ，１１ｂ、１２ａ，１２ｂによって複数の紙の一端側が連結されている。即ち、一端側において、上下に離間して一対の綴じ具１１ａ，１１ｂと一対の綴じ具１２ａ，１２ｂを設け、この上下に離間した一対の綴じ具１１ａ，１１ｂと一対の綴じ具１２ａ，１２ｂによって前記複数の紙の一端側が連結されている。
【００２８】
図３に示すように、基本紙２に印刷された下絵は、二人の女の子のキャラクター２ａ，２ｂと、室内の背景が描かれている。図９に示すように、基本紙５に印刷された下絵は、二人の女の子のキャラクター５ａ，５ｂと、公園の背景が描かれている。図４に示すように、シール紙６に剥離可能に取り付けられたシールは、基本紙２に印刷された二人の女の子のキャラクター２ａ，２ｂに貼り付ける和服６ａ〜６ｄ、履き物、バッグ等の小物類である。図１０〜１３に示すように、シール紙７〜１０に剥離可能に取り付けられたシールは、基本紙５に印刷された二人の女の子のキャラクター５ａ，５ｂに貼り付ける洋服７ａ〜７ｃ，８ａ〜１０ａ、履き物、バッグ等の小物類である。
【００２９】
シール紙は、接着剤層を介して台紙に剥離可能に接着されている。シール紙には、基本紙の下図に貼り付けられる衣服、履き物、靴下、防止、アクセサリー等の図柄が印刷されており、その図柄の輪郭に沿ってカットされ、カットされた図柄がシールを構成している。
【００３０】
シール貼りブック用シート２１は、図１に示すように、シール貼りブック１に着脱可能に取り付けられる。シール貼りブック用シート２１のシート本体２２は、透過性を有する合成樹脂素材によって形成されている。合成樹脂素材は、例えば、ポリプロピレン等である。シート本体２２は、矩形状に形成され、一端縁（内側縁）に係止部２５，２５が形成され、他端側（外側）近傍の両面（又は一方の面）に接着（粘着）片２９が貼着されている。係止部２５は、シール貼りブック１のリング状の綴じ具１１ａ，１１ｂ（１２ａ，１２ｂ）に着脱可能に係止される。
【００３１】
シール貼りブック用シート２１の係止部２５は、図１に示すように、リング状の綴じ具１１ａ，１１ｂ（１２ａ，１２ｂ）を収容する凹部２６と、凹部２６内に設けられ、リング状の綴じ具１１ａ，１１ｂ（１２ａ，１２ｂ）内に挿入される突起２７からなる。
【００３２】
シール貼りブック用シート２１の使用方法について説明する。図１に示すように、シール貼りブック用シート２１は、シール貼りブック１の基本紙２の下絵が印刷された頁を開いて、シート本体２２の係止部２５をリング状の綴じ具１１ａ，１１ｂ（１２ａ，１２ｂ）に着脱可能に係止させ、基本紙２の下絵が印刷された面に位置決めすることができる。
【００３３】
図２に示すように、係止部２５は、リング状の綴じ具１１ａ，１１ｂ（１２ａ，１２ｂ）を収容する凹部２６と、リング状の綴じ具１１ａ，１１ｂ（１２ａ，１２ｂ）内に挿入される突起２７からなり、突起２７がリング状の綴じ具１１ａ，１１ｂ（１２ａ，１２ｂ）内に挿入されるので、シール貼りブック１の綴じ具１１ａ，１１ｂ（１２ａ，１２ｂ）から外れ難く、位置決めを確実に行うことができる。シート本体２２が、合成樹脂素材によって形成されているので、突起２７が可撓性を有し、突起２７を撓めながらリング状の綴じ具１１ａ，１１ｂ（１２ａ，１２ｂ）内に差し込むことができる。このように、シート本体２２は、一端側が係止部２５によって位置決めされる。シート本体２２の他端側は、接着片２９が基本紙２の印刷面に接着する。従って、シート本体２２は、係止部２５と接着片２９により基本紙２の下絵の印刷面に安定して位置決めされる。
【００３４】
シール貼りブック用シート２１の使用方法についてさらに具体的に説明する。図３に示すように、シール貼りブック１の基本紙２，３の下絵が印刷された頁を開いておき、図４に示すように、シール貼りブック１のシール紙６から和服のシール６ａと６ｂを剥がし、図５に示すように、基本紙２に印刷された二人の女の子のキャラクターの下絵２ａ，２ｂに直接貼り付けることにより、下絵２ａ，２ｂの図柄、模様、色彩等のデザインを追加又は変更することができる。
【００３５】
シール貼りブック用シート２１は、シール貼りブック１の基本紙２の下絵が印刷された頁上で、図７に示すように、シート本体２２の係止部２５をリング状の綴じ具１１ａ，１１ｂ（１２ａ，１２ｂ）に着脱可能に係止させ、シート本体２２の接着片２９を基本紙２の下絵印刷面に接着させ、基本紙２の下絵が印刷された面に位置決めする（図８参照）。係止部２５は、突起２７がリング状の綴じ具１１ｂ，１２ｂ内に挿入されるので、シール貼りブック１の綴じ具１１ａ，１１ｂ（１２ａ，１２ｂ）から外れ難く、位置決めを確実に行うことができる。
【００３６】
シール貼りブック１のシール紙６から和服のシール６ｃ、６ｄ及びその他のシールを剥がし、シート本体２２に着脱可能に貼り付ける。なお、シート本体２２をシール貼りブック１に取り付ける前にシールを貼り付けておいても構わない。図８に示すように、基本紙２に印刷された一方の女の子のキャラクターの下絵２ａに直接貼り付けた和服のシール６ａの上に和服のシール６ｃが重ねられ、下絵２ａの図柄、模様、色彩等のデザインを変化させることができる。シート本体２２を捲ることにより和服のシール６ａが貼り付けられた下絵２ａが表出するので、和服のシール６ｃを貼り付けた下絵２ａと和服のシール６ａを貼り付けた下絵２ａの両方を略同時に確認することができる。なお、シート本体２２に着脱可能に貼り付けた和服のシール６ｃ及び６ｄの位置を交換して、和服のシール６ｄを貼り付けた下絵２ａと和服のシール６ａを貼り付けた下絵２ａの両方を確認することもできる。
【００３７】
また、図９に示すように、シール貼りブック１の基本紙４，５の下絵が印刷された頁を開いておき、図１０に示すように、シール貼りブック１のシール紙７から洋服のシール７ａ〜７ｃを剥がし、図１１に示すように、シール貼りブック１のシール紙８から洋服のシール８ａを剥がして、図１４に示すように、基本紙５に印刷された二人の女の子のキャラクターの下絵５ａ，５ｂに直接貼り付けることにより、下絵５ａ，５ｂの図柄、模様、色彩等のデザインを追加又は変更することができる。
【００３８】
シール貼りブック用シート２１は、シール貼りブック１の基本紙５の下絵が印刷された頁上で、図１５に示すように、シート本体２２の係止部２５をリング状の綴じ具１１ａ，１１ｂ（１２ａ，１２ｂ）に着脱可能に係止させ、シート本体２２の接着片２９を基本紙５の下絵印刷面に接着させ、基本紙５の下絵が印刷された面に位置決めする（図１６参照）。係止部２５は、突起２７がリング状の綴じ具１１ａ，１２ａ内に挿入されるので、シール貼りブック１の綴じ具１１ａ，１１ｂ（１２ａ，１２ｂ）から外れ難く、位置決めを確実に行うことができる。
【００３９】
図１２に示すように、シール貼りブック１のシール紙９から洋服のシール９ａを剥がし、図１３に示すように、シール紙１０から洋服のシール１０ａを剥がして、シート本体２２に着脱可能に貼り付ける。なお、シート本体２２をシール貼りブック１に取り付ける前にシールを貼り付けておいても構わない。図１６に示すように、基本紙５に印刷された一方の女の子のキャラクターの下絵５ｂに直接貼り付けた洋服のシール７ｃ，８ａに洋服のシール９ａが重ねられ、下絵５ｂの図柄、模様、色彩等のデザインを変化させることができる。シート本体２２を捲ることにより洋服のシール７ｃ，８ａが貼り付けられた下絵５ｂが表出するので、洋服のシール９ａを貼り付けた下絵５ｂと洋服のシール７ｃ，８ａを貼り付けた下絵５ｂの両方を確認することができる。なお、シート本体２２に着脱可能に貼り付けた洋服のシール１０ａ及び９ａの位置を交換して、洋服のシール１０ａを貼り付けた下絵５ｂと洋服のシール７ｃ,８ａを貼り付けた下絵５ｂの両方を確認することができる。
【産業上の利用可能性】
【００４０】
本願考案は、下絵が印刷された基本紙と、下絵に貼り付けるシールを剥離可能に取り付けたシール紙とを有するシール貼りブックに利用可能である。
【符号の説明】
【００４１】
１  シール貼りブック
２  基本紙
２ａ  キャラクターの下絵
２ｂ  キャラクターの下絵
３  基本紙
４  基本紙
５  基本紙
５ａ  キャラクターの下絵
５ｂ  キャラクターの下絵
６  シール紙
６ａ  和服のシール
６ｂ  和服のシール
６ｃ  和服のシール
６ｄ  和服のシール
７  シール紙
７ａ  洋服のシール
７ｂ  洋服のシール
７ｃ  洋服のシール
８  シール紙
８ａ  洋服のシール
９  シール紙
９ａ  洋服のシール
１０  シール紙
１０ａ  洋服のシール
１１ａ  綴じ具
１１ｂ  綴じ具
１２ａ  綴じ具
１２ｂ  綴じ具
２１  シール貼りブック用シート
２２  シート本体
２５  係止部
２６  凹部
２７  突起
２９  接着（粘着）片
【図１】
0003188843.tif 000003
【図２】
0003188843.tif 000004
【図３】
0003188843.tif 000005
【図４】
0003188843.tif 000006
【図５】
0003188843.tif 000007
【図６】
0003188843.tif 000008
【図７】
0003188843.tif 000009
【図８】
0003188843.tif 000010
【図９】
0003188843.tif 000011
【図１０】
0003188843.tif 000012
【図１１】
0003188843.tif 000013
【図１２】
0003188843.tif 000014
【図１３】
0003188843.tif 000015
【図１４】
0003188843.tif 000016
【図１５】
0003188843.tif 000017
【図１６】
0003188843.tif 000018
【手続補正書】
【提出日】平成25年11月29日(2013.11.29)
【手続補正１】
【補正対象書類名】図面
【補正対象項目名】図３
【補正方法】変更
【補正の内容】
【図３】
0003188843.tif 000019
【手続補正２】
【補正対象書類名】図面
【補正対象項目名】図５
【補正方法】変更
【補正の内容】
【図５】
0003188843.tif 000020
【手続補正３】
【補正対象書類名】図面
【補正対象項目名】図８
【補正方法】変更
【補正の内容】
【図８】
0003188843.tif 000021
【手続補正４】
【補正対象書類名】図面
【補正対象項目名】図９
【補正方法】変更
【補正の内容】
【図９】
0003188843.tif 000022
【手続補正５】
【補正対象書類名】図面
【補正対象項目名】図１３
【補正方法】変更
【補正の内容】
【図１３】
0003188843.tif 000023
【手続補正６】
【補正対象書類名】図面
【補正対象項目名】図１４
【補正方法】変更
【補正の内容】
【図１４】
0003188843.tif 000024
【手続補正７】
【補正対象書類名】図面
【補正対象項目名】図１６
【補正方法】変更
【補正の内容】
【図１６】
0003188843.tif 000025